(57)【要約】【課題】  テレビジョン受信の同期が外れたとき離調ノイズ画像から代替画像へ自然に切り換え、かつ、代替画像のサイズが過大にならないようにする。【解決手段】  制御部１０は、同期外れ検出器２３が同期外れを検出したとき、表示部１８のＲＧＢの３要素を組み合わせて構成されている表示ドットの駆動レベルをランダムに与えるように形成した単位パターン画像をメモリ２４から読み出し表示制御部１９に送り、表示部１８に設けた単位サイズの画面に単位パターン画像を表示させる。また、表示部１８に拡大サイズの画面を設けたときは、単位パターン画像を縦横に繰り返し配列した拡大パターン画像を表示させる。【選択図】  図１
2005311513.tif 000002
【特許請求の範囲】
【請求項１】
テレビジョン信号を受信する受信手段と、
前記受信手段によって受信したテレビジョン信号に対する同期外れを検出する検出手段と、
ＲＧＢの３要素を組み合わせて構成される表示ドットを縦横に配列して構成された表示手段と、
複数の単位パターン画像を記憶する記憶手段と、
前記受信したテレビジョン信号に基づいて生成された画像を前記表示手段に表示し、前記検出手段が同期外れを検出したとき、前記記憶手段から前記複数の単位パターン画像を読み出し、前記表示手段に前記複数の単位パターン画像を規則的に表示する表示制御手段とを
備えたことを特徴とする電子機器。
【請求項２】
テレビジョン放送を受信する受信手段と、
前記受信手段によって受信するテレビジョン放送の受信の同期外れを検出する検出手段と、
ＲＧＢの３要素を組み合わせて構成される表示ドットを縦横に配列して構成された表示手段と、
複数の単位パターン画像を記憶する記憶手段と、
前記受信したテレビジョン信号に基づいて生成された画像を第１のサイズ又は該第１のサイズより大きい第２のサイズで前記表示手段に表示すると共に、前記検出手段によって同期外れが検出されると、前記複数の単位パターン画像を前記記憶部から読み出して第１のサイズで、又は同一の単位パターンを複数並べた拡大パターン画像を単位パターンごとに生成して前記第２のサイズで、規則的に前記表示手段に表示させる表示制御手段と
を備えたことを特徴とする電子機器。
【請求項３】
テレビジョン信号を受信する受信手段と、
前記受信手段によって受信したテレビジョン信号に対する同期外れを検出する検出手段と、
複数の単位パターン画像を記憶する記憶手段と、
前記受信したテレビジョン信号に基づいて生成された第１のサイズ又は該第１のサイズより大きい第２のサイズで画像を録画すると共に、前記検出手段が同期外れを検出したとき、前記複数の単位パターン画像を前記記憶部から読み出して第１のサイズで、又は同一の単位パターンを複数並べた拡大パターン画像を単位パターンごとに生成して前記第２のサイズで録画する録画手段と
有することを特徴とする電子機器。
【請求項４】
テレビジョン信号を受信する受信手段と、
前記受信手段によって受信したテレビジョン信号に対する同期外れを検出する検出手段と、
複数の単位パターン画像を記憶する記憶手段と
前記受信したテレビジョン信号に基づいて生成された第１のサイズ又は該第１のサイズより大きい第２のサイズで画像をキャプチャすると共に、前記検出手段が同期外れを検出したとき前記複数の単位パターン画像を前記記憶部から読み出して第１のサイズで、又は同一の単位パターンを複数並べた拡大パターン画像を生成してキャプチャするキャプチャ手段
を有することを特徴とする電子機器。
【請求項５】
前記複数の単位パターン画像の少なくとも１つは、前記表示ドットごとの前記３要素それぞれの駆動レベルをランダムに与えるように形成されたことを特徴とする請求項１乃至請求項４のいずれか１項に記載の電子機器。
【請求項６】
テレビジョン信号を受信する受信手段と、表示手段とを備えた電子機器における画像表示方法であって、
前記テレビジョン信号を受信し、
該受信したテレビジョン信号に基づいて生成された画像を前記表示手段に表示し、
前記テレビジョン信号に対する同期外れを検出すると、前記画像に代えて予め設定されている複数の単位パターン画像を規則的に前記表示手段に表示する
ことを特徴とする画像表示方法。
【請求項７】
テレビジョン信号を受信する受信手段と、表示手段とを備えた電子機器における画像表示方法であって、
前記テレビジョン信号を受信し、
該受信したテレビジョン信号に基づいて生成された画像を第１のサイズ又は該第１のサイズより大きい第２のサイズで前記表示手段に表示し、
前記テレビジョン信号に対する同期外れを検出すると、前記画像に代えて予め設定されている複数の単位パターン画像を第１のサイズで、または、該単位パターン画像を複数並べて単位パターンごと生成された拡大パターン画像を第２のサイズで、規則的に前記表示手段に表示する
ことを特徴とする画像表示方法。
【請求項８】
前記複数の単位パターン画像は、ＲＧＢの３要素それぞれの駆動レベルをランダムに与えるように形成されたことを特徴とする請求項６又は請求項７に記載の画像表示方法。
【発明の詳細な説明】
【技術分野】
【０００１】
本発明は、テレビジョン受信及びテレビジョン画像の表示機能を有する電子機器及び該電子機器に適用可能な画像表示方法に関する。
【背景技術】
【０００２】
携帯電話機に代表される携帯型電子機器をはじめ、各種の電子機器にテレビジョン放送の受信機能が搭載されつつある。これらの電子機器がある場所から他の場所へと移動して用いられるのに伴い、テレビジョン信号の受信環境も変化し、テレビジョン画像の同期が維持されなくなる場合（これを同期外れという。）が生ずる。
【０００３】
従来、同期外れが生じた場合の離調ノイズをそのまま画面に表示して使用者に不快感を与えることがないように、予め保存しておいた代替画像を読み出して表示するという技術が開発されている（例えば、特許文献１参照。）。この特許文献１に開示された技術は、受信された画像データを予め保存して、受信信号の乱れを検出したときにその保存した画像データを読み出して表示するというものである。
【０００４】
一方、テレビ会議の用途で、送信側の同期外れやビデオ入力ソースの切り換えに起因する受信側の表示画像の乱れを防止するという技術も開発されている（例えば、特許文献２参照。）。この特許文献２に開示された技術は、送信側において同期外れ又はビデオ入力ソースの切り換えが発生したとき、その事実を検出して、発生した事象のごとに用意したメッセージを含む画像を受信側に伝送するというものである。また、これらの他、テレビジョン受信機能付きの携帯電話機であって、同期外れ時に単一色無地の画像を表示するものも知られている。
【特許文献１】特開平９−１７２５８０号公報  （第２乃至４ページ、図５）
【特許文献２】特開平６−７８３００公報  （第２乃至４ページ、図２）
【発明の開示】
【発明が解決しようとする課題】
【０００５】
前記の従来技術は、離調ノイズを表示する画面から切り換わったときの連続性（自然な感じ）に欠けるという問題があった。また、特許文献１又は単一色無地表示の従来技術は、同期外れが生じているという事実を伝えるメッセージ性に欠け、後者はさらに静止した無機的な画像がソフトウェア処理のいわゆるフリーズ現象をユーザに連想又は誤解させることがあるという問題があった。さらに特許文献１又は特許文献２の従来技術は、メモリ容量の制約が厳しい携帯型電子機器において大小の画面サイズを切り換えて使用するような場合に、（相対的な意味でいう）大画面用の代替画像が無視できないメモリサイズを要することになりかねないという問題があった。
【０００６】
本発明は上記問題を解決するためになされたもので、同期外れが発生したとき自然にかつ不快感を与えずに表示を切り換えることができ、メモリ容量の制約が厳しい携帯型電子機器において大小の画面サイズを切り換えて使用するような場合のメモリサイズ上の問題を軽減することのできる電子機器と、該電子機器に適用可能な画像表示方法を提供することを目的とする。
【課題を解決するための手段】
【０００７】
上記目的を達成するために、本発明の電子機器は、テレビジョン信号を受信する受信手段と、前記受信手段によって受信したテレビジョン信号に対する同期外れを検出する検出手段と、ＲＧＢの３要素を組み合わせて構成される表示ドットを縦横に配列して構成された表示手段と、複数の単位パターン画像を記憶する記憶手段と、前記受信したテレビジョン信号に基づいて生成された画像を前記表示手段に表示し、前記検出手段が同期外れを検出したとき、前記記憶手段から前記複数の単位パターン画像を読み出し、前記表示手段に前記複数の単位パターン画像を規則的に表示する表示制御手段とを備えたことを特徴とする。
【０００８】
また、本発明の画像表示方法は、テレビジョン信号を受信する受信手段と、表示手段とを備えた電子機器における画像表示方法であって、前記テレビジョン信号を受信し、該受信したテレビジョン信号に基づいて生成された画像を前記表示手段に表示し、前記テレビジョン信号に対する同期外れを検出すると、前記画像に代えて予め設定されている複数の単位パターン画像を規則的に前記表示手段に表示することを特徴とする。
【発明の効果】
【０００９】
本発明によれば、同期が外れ、離調ノイズを表示する画面から自然に不快感を伴うことなく移行することができ、かつ、代替パターン画像に要するメモリサイズが過大にならないようにすることができる。
【発明を実施するための最良の形態】
【００１０】
以下、図面を参照して本発明の実施例を説明する。
【実施例１】
【００１１】
以下、図１乃至図４を参照して、本発明の実施例１を説明する。図１は、本発明の実施例１に係る電子機器である携帯電話機のブロック図である。図中の１は実施例１に係る携帯電話機であり、１０は携帯電話機１全体の制御監視を行う制御部である。携帯電話機１はまた、一般の携帯電話機と同様のアンテナ１１、無線部１２、変復調部１３、通話部１４、受話器１５、送話器１６、操作部１７及び表示部１８を備え、図示しない移動通信網に接続された加入者端末として音声又はデータ通信を行うことができる。なお、表示部１８はＲ（赤）、Ｇ（緑）及びＢ（青）の３要素を組み合わせて構成されている表示ドットを縦横に配列して構成され、表示制御部１９がＲＧＢの３要素を組み合わせて構成されている各表示ドットにそれぞれ電圧又は電流入力を与えることにより駆動される。また表示制御部１９は、テレビジョン受信が開始されると、表示部１８の一部又は全部にテレビジョン画面を設定する。
【００１２】
次に携帯電話機１は、テレビジョン受信用アンテナ（以下、ＴＶ用アンテナと略称する。）２０、チューナ２１及び復調器２２を備え、テレビジョン放送を受信して復調した画像信号を表示制御部１９に送って、表示部１８にテレビジョン画像を表示することができる。また、チューナ２１において発生することがあるテレビジョン画像信号の同期外れを、同期外れ検出器２３によって検出する。なお、同期外れ検出器２３は公知技術によって実現することができる（例えば特許文献２参照。）。
【００１３】
さらに携帯電話機１は、メモリ２４及び録画部２５を備えている。メモリ２４には、予め単位パターン画像が記憶されたエリアと、画像キャプチャにより取り込んだ画像の情報を記憶するためのエリアとが設けられている。なお、単位パターン画像とは、同期外れ検出器２３によって同期外れが検出された場合に表示部１８に表示する画像であって、その詳細は後述する。また録画部２５は、図示しない録画用のメモリ（外部記憶媒体の場合もある。）を内蔵し、当該録画用のメモリの読み書きを制御するように構成されている。
【００１４】
次に図２を参照して、本発明の実施例１に係る携帯電話機１の動作について説明する。図２は、当該動作を表すフローチャートである。操作部１７における操作を受けてテレビジョン受信が開始される（ステップＳ０）と、制御部１０が表示制御部１９に指示して、表示部１８の一部又は全部にテレビジョン画面を設定する（ステップＳ１）。また、ＴＶ用アンテナ２０で受信したテレビジョン放送の搬送波からチューナ２１が選局し、復調器２２において同期信号を含むテレビジョン画像信号が復調される。
【００１５】
ここで、チューナ２１においてテレビジョン画像信号と同期がとれているとき、復調器２２によって復調を行い、更に制御部１０が復調器２２に指示して復調されたテレビジョン画像信号を表示駆動部１９に送らせる。表示駆動部１９は、表示部１８に設定されたテレビジョン画面の範囲内の縦横に配列されたＲＧＢの３要素を組み合わせて構成されている各表示ドットにそれぞれ当該テレビジョン画像信号から生成される電圧又は電流入力を与え、その結果表示部１８に設定されたテレビジョン画面にテレビジョン画像が表示される（ステップＳ３）。
【００１６】
次に、操作部１７において録画又は画像キャプチャを行う操作がされている場合（ステップＳ４の“ＹＥＳ”）は、制御部１０が録画部２５に指示して当該テレビジョン画像信号を録画させ、又は当該テレビジョン画像信号からキャプチャした画像の情報をメモリ２４の画像キャプチャにより取り込んだ画像の情報を記憶するためのエリアに書き込む（ステップＳ５）。
【００１７】
なお、操作部１７において録画又は画像キャプチャを行う操作がされていなければ（ステップＳ４の“ＮＯ”）、ステップＳ５の処理を行わない。以上の処理の終了後、制御部１０はテレビジョン画面設定直後の状態に戻って、再び同期外れの有無を検出するイベントを待つ。
【００１８】
一方、チューナ２１における同期がとれず、同期外れ検出器２３が同期外れを検出した場合（ステップＳ２の“ＮＯ”）には、制御部１０がメモリ２４の単位パターン画像が記憶されたエリアから、予め用意された２種の単位パターン画像を読み出して表示制御部１９に送る。表示制御部１９は、表示部１８に設定されたテレビジョン画面内の縦横に配列されたＲＧＢの３要素を組み合わせて構成されている各表示ドットにそれぞれ各パターン画像信号から生成される電圧又は電流入力を交互に与え、その結果テレビジョン画面に２種の単位パターン画像が交互に表示される（ステップＳ６）。
【００１９】
ここで、単位パターン画像について説明する。ステップＳ６において用いられる２種の単位パターン画像は任意に定めることができるが、同期外れが検出された後単位パターン画像が表示され始めるまでの短い時間にテレビジョン画面に離調ノイズが表示されることから、不快感を伴わずに離調ノイズのイメージを表せる画像に自然に切り換わるようにすることが望ましい。そこで、ＲＧＢの３要素を組み合わせて構成されている各表示ドットの３要素にそれぞれ電圧又は電流入力のレベルがランダムに与えられるように形成されたパターンを考えると、例えば図３（ａ）及び（ｂ）に示すような画像が表示部１８に表示される。図３（ａ）及び（ｂ）は、そのようにして形成された単位パターン画像の２つの例である（いく分コントラストを強調して描いている。）。
【００２０】
これら２つの単位パターン画像は、画素ごとの駆動レベルがランダムに与えられた結果、一面に砂粒を撒き散らしたようなイメージで表示される。したがって、離調ノイズの表示イメージをある程度維持しているが、静止画であるから使用者に落ち着かない不快な感じを与えることがない。しかも、２種類の単位パターン画像が交互に表示されるから、ソフトウェア処理のいわゆるフリーズ現象を連想又は誤解させることがないので、使用者に安心感を与える効果がある。
【００２１】
他方、メモリ２４の単位パターン画像が保存されたエリアのサイズをできるだけ小さく抑えるという目的のためには、小さい基本画像を縦横に繰り返し配列するように形成されたパターンが適している。図４（ａ）及び（ｂ）は、そのようにして形成された単位パターン画像の２つの例である。図４（ａ）の単位パターン画像は横の直線で構成された単位画像を縦横に繰り返し配列して横縞のイメージを形成したものであり、また図４（ｂ）の単位パターン画像は縦の直線で構成された単位画像を縦横に繰り返し配列して縦縞のイメージを形成したものである。
【００２２】
これらの単位パターン画像を図３（ａ）及び（ｂ）の単位パターン画像と比較すると、離調ノイズの表示イメージが維持されるとはいい難いが、落ち着いており安心感を与えるという特徴は共通している。また、図３（ａ）及び（ｂ）の場合に比べ、必要なメモリサイズは基本画像分だけであり、それを縦横に繰り返し配列する処理も定型的なもので済むという効果が得られる。
【００２３】
ここで図２に戻り、操作部１７において録画又は画像キャプチャを行う操作がされている場合（ステップＳ７の“ＹＥＳ”）は、制御部１０が録画部２５に指示して上記の単位パターン画像を録画させ、又はこれらの単位パターン画像をメモリ２４の画像キャプチャにより取り込んだ画像の情報を記憶するためのエリアに書き込む（ステップＳ８）。つまり、同期が外れた場合、チューナ２１から復調器２２へテレビジョン画像信号が送られない場合があるため、録画、キャプチャすべきテレビジョン画像を復調器２２から得られないことがあるが、前述のメモリ２４に記憶されている単位パターンを録画、キャプチャの対象とする。
【００２４】
なお、操作部１７において録画又は画像キャプチャを行う操作がされていなければ（ステップＳ７の“ＮＯ”）、ステップＳ８の処理を行わない。以上の処理の終了後、再び同期外れの有無を検出するイベントを待つ。また、操作部１７における操作によりテレビジョン受信が終了された場合は、以上の処理の任意のステップにおいて処理が中断される。
【００２５】
以上の実施例１の説明において、図３の単位パターン画像はＲＧＢの３要素を組み合わせて構成されている表示ドットの駆動レベルの分布を変えることにより、図４の単位パターン画像は基本画像の種類を変えることにより、それぞれ任意の変形が可能である。また、交互に表示させるための単位パターン画像の数は２に限らず、メモリ容量の点で許容される限りいくつであってもよい。なお、実施例１は携帯電話機以外の電子機器にも適用可能である。
【００２６】
本発明の実施例１によれば、同期外れが生じたときにランダム若しくは規則的な単位パターン画像を表示し、又はさらに録画若しくはキャプチャすることにより、画像を自然に切り換えることができ、かつ、使用者に安心感を与える表示をすることができる。
【実施例２】
【００２７】
以下、図５乃至図７を参照して、本発明の実施例２を説明する。なお、本発明の実施例２に係る電子機器は、実施例１の携帯電話機１と同じ構成をとるから、図１も併せて参照する。ただし実施例２における表示制御部１９は、後述するように単位パターン画像から拡大パターン画像を合成する機能を備えている。またテレビジョン受信が開始されると、単位サイズのテレビジョン画面又は単位サイズの画面の縦横長を２倍にした（面積、ドット数で４倍にした）拡大サイズのテレビジョン画面を切り換え可能に設定する機能を備えている。
【００２８】
ここでいう単位サイズのテレビジョン画面は表示部１８の一部を用いて設定され、拡大サイズのテレビジョン画面は表示部１８の一部又は全部を用いて設定される。図５は、サイズ別のテレビジョン画面の設定を説明する図である。単位サイズのテレビジョン画面は、例えばテレビジョン受信を開始した際の初期画面において、又はメールの読み出し等の操作を並行して行う場合において、図５（ａ）に示すように携帯電話機１を縦置きにしたとき表示部１８のハッチングを施した一部に表示される。６１は、単位サイズのテレビジョン画面である。一方、拡大サイズのテレビジョン画面は、例えば図５（ｂ）に示すように、携帯電話機１を横置きにしたとき表示部１８のハッチングを施した全部に表示される。６２は拡大サイズのテレビジョン画面で、縦横長は単位サイズ゛のテレビジョン画面６１の２倍、面積（ドット数）は４倍である。
【００２９】
次に、図６は、本発明の実施例２における携帯電話機１の動作を表すフローチャートである。操作部１７における操作を受けてテレビジョン受信が開始される（ステップＳ１０）と、制御部１０は操作部１７において画面サイズを拡大する操作が行われたか否かを確認し（ステップＳ１１）、行われていなければ（ステップＳ１１の“ＮＯ”））表示制御部１９に指示して、表示部１８の一部に単位サイズのテレビジョン画面を設定する（ステップＳ１２）。
【００３０】
これに続く処理は、図２のステップＳ２からＳ８までの処理と同じである（ステップＳ１３）から、説明は省略する。ステップＳ１３の終了後、制御部１０はテレビジョン画面設定直後の状態に戻って、再び同期外れの有無を検出するイベントを待つ。また、操作部１７における操作により画面サイズを拡大する操作が行われれば任意のステップにおいて次に述べるステップＳ１１の“ＹＥＳ”以降の処理に移り、テレビジョン受信が終了された場合は任意のステップにおいて処理が中断される。
【００３１】
次に操作部１７において画面サイズを拡大する操作が行われた場合（ステップＳ１１の“ＹＥＳ”）、制御部１０は表示制御部１９に指示して、表示部１８の一部又は全部に拡大サイズのテレビジョン画面を設定する（ステップＳ１４）。この状態でＴＶ用アンテナ２０で受信したテレビジョン放送の搬送波からチューナ２１が選局し、復調器２２において同期信号を含むテレビジョン画像信号が復調されて同期が正常になされた場合（ステップＳ１５の“ＹＥＳ”）の処理（ステップＳ１６−Ｓ１８）は、図２のステップＳ３−Ｓ５の処理と同じであるから、説明を省略する。なお、これらの処理において表示又は録画若しくはキャプチャされるテレビジョン画像は、単位サイズの画面の場合に比べ、ドット数で４倍の高い分解能を有している。また、録画もしくはキャプチャにおいてはステップ５と同様に単位サイズで録画もしくはキャプチャを行っても良い。
【００３２】
一方、復調器２２における同期が不完全であって同期外れ検出器２３が同期外れを検出した場合（ステップＳ１５の“ＮＯ”）には、制御部１０がメモリ２４の単位パターン画像が記憶されたエリアから、予め用意された２種の単位パターン画像を読み出して表示制御部１９に送る。表示制御部１９は、それぞれの単位パターン画像を縦横に繰り返し配置して、２種の拡大パターン画像を合成する（ステップＳ１９）。図７は、拡大パターン画像の例を説明する図である。図７（ａ）の拡大パターン画像は図３（ａ）の単位パターン画像を縦横に２回ずつ繰り返して計４枚の単位パターン画像から、図７（ｂ）の拡大パターン画像は図３（ｂ）の単位パターン画像を縦横に２回ずつ繰り返して計４枚の単位パターン画像から、それぞれ合成されたものである。なお、図中の破線は実際には表示されない単位パターン画像の区切りを示したものである。
【００３３】
ステップＳ１９に続く処理（ステップＳ２０−Ｓ２２）は、パターン画像が拡大されたものである点を除き、図２のステップＳ６−Ｓ８の処理と同じであるから、説明を省略する。ただ、ステップ２２において録画またはキャプチャされる画像は図３（ａ）（ｂ）に示される単一パターン画像を拡大したものでも良いし、図７（ａ）（ｂ）に示される拡大パターン画像であっても良い。以上の処理の終了後、制御部１０はテレビジョン画面設定直後の状態に戻って、再び同期外れの有無を検出するイベントを待つ。また、操作部１７における操作により画面を単位サイズに戻す操作が行われれば、任意のステップにおいて先に述べたステップＳ１１の“ＮＯ”以降の処理に移り、テレビジョン受信が終了された場合は任意のステップにおいて処理が中断される。
【００３４】
以上の実施例２の説明において、図７の拡大パターン画像は、図３（ａ）、（ｂ）、図４（ａ）、（ｂ）に示され、又はこれらが任意に変形された単位パターン画像を任意に組み合わせることにより、任意に変形することができる。単位パターン画像がランダム又は規則的なイメージを与えるものであるから、合成したときに違和感の少ない自然な拡大パターン画像が得られる。また、交互に表示させるための拡大パターン画像の数は２に限らずいくつであってもよい。さらに、１の拡大パターン画像を何個の単位パターン画像から合成するかについても、設計上のパラメータとして適切な値を選定することができる。なお、実施例２は携帯電話機以外の電子機器にも適用可能である。
【００３５】
本発明の実施例２によれば、テレビジョン画面のサイズを切り換えて使用する用途において、同期外れが生じたときのパターン画像を相対的に小さい単位サイズ用に用意しておくだけで拡大サイズにも適用できるという、付加的な効果が得られる。
【図面の簡単な説明】
【００３６】
【図１】本発明の実施例１に係る携帯電話機のブロック図。
【図２】本発明の実施例１に係る携帯電話機の動作を表すフローチャート。
【図３】(ａ)及び(ｂ)は、ランダムに形成された単位パターン画像の２つの例。
【図４】(ａ)及び(ｂ)は、規則的に形成された単位パターン画像の２つの例。
【図５】（ａ）は単位サイズ、（ｂ）は拡大サイズのテレビジョン画面の設定の説明図。
【図６】本発明の実施例２に係る携帯電話機の動作を表すフローチャート。
【図７】(ａ)及び(ｂ)は、拡大パターン画像の２つの例。
【符号の説明】
【００３７】
１  携帯電話機
１１  アンテナ
１２  無線部
１３  変復調部
１４  通話部
１５  受話器
１６  送話器
１７  操作部
１８  表示部
１９  表示制御部
２０  テレビジョン受信用（ＴＶ用）アンテナ
２１  チューナ
２２  復調器
２３  同期外れ検出器
２４  メモリ
２５  録画部
【図１】
2005311513.tif 000003
【図２】
2005311513.tif 000004
【図３】
2005311513.tif 000005
【図４】
2005311513.tif 000006
【図５】
2005311513.tif 000007
【図６】
2005311513.tif 000008
【図７】
2005311513.tif 000009
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
テレビジョン信号を受信する受信手段と、
前記受信手段によって受信したテレビジョン信号に対する同期外れを検出する検出手段と、
前記受信したテレビジョン信号に基づいて生成された画像を表示する表示手段と、
複数の単位パターン画像を記憶する記憶手段と、
前記受信したテレビジョン信号が表示されているときに前記検出手段によって同期外れが検出されると、前記記憶手段から前記複数の単位パターン画像を読み出し、前記表示手段に前記複数の単位パターン画像を規則的に表示する表示制御手段とを
備えたことを特徴とする電子機器。
【請求項２】
テレビジョン放送を受信する受信手段と、
前記受信手段によって受信するテレビジョン放送の受信の同期外れを検出する検出手段と、
前記受信したテレビジョン信号に基づいて生成された画像を第１のサイズ又は該第１のサイズより大きい第２のサイズで表示する表示手段と、
複数の単位パターン画像を記憶する記憶手段と、
前記受信したテレビジョン信号が表示されているときに前記検出手段によって同期外れが検出されると、前記複数の単位パターン画像を前記記憶部から読み出して第１のサイズで、又は同一の単位パターンを複数並べた拡大パターン画像を単位パターンごとに生成して前記第２のサイズで、規則的に前記表示手段に表示させる表示制御手段と
を備えたことを特徴とする電子機器。
【請求項３】
テレビジョン信号を受信する受信手段と、
前記受信手段によって受信したテレビジョン信号に対する同期外れを検出する検出手段と、
複数の単位パターン画像を記憶する記憶手段と、
録画操作がなされると、前記受信したテレビジョン信号に基づいて生成された第１のサイズ又は該第１のサイズより大きい第２のサイズで画像を録画するよう制御し、
録画中に前記検出手段が同期外れを検出したとき、前記複数の単位パターン画像を前記記憶部から読み出して第１のサイズで、又は同一の単位パターンを複数並べた拡大パターン画像を単位パターンごとに生成して前記第２のサイズで録画する録画手段と
を有することを特徴とする電子機器。
【請求項４】
テレビジョン信号を受信する受信手段と、
前記受信手段によって受信したテレビジョン信号に対する同期外れを検出する検出手段と、
複数の単位パターン画像を記憶する記憶手段と
録画操作がなされると、前記受信したテレビジョン信号に基づいて生成された第１のサイズ又は該第１のサイズより大きい第２のサイズで画像をキャプチャするよう制御し、
録画中に前記検出手段が同期外れを検出したとき前記複数の単位パターン画像を前記記憶部から読み出して第１のサイズで、又は同一の単位パターンを複数並べた拡大パターン画像を生成してキャプチャするキャプチャ手段と
を有することを特徴とする電子機器。
【手続補正２】
【補正対象書類名】明細書
【補正対象項目名】０００６
【補正方法】変更
【補正の内容】
【０００６】
本発明は上記問題を解決するためになされたもので、同期外れが発生したとき自然にかつ不快感を与えずに表示を切り換えることができ、メモリ容量の制約が厳しい携帯型電子機器において大小の画面サイズを切り換えて使用するような場合のメモリサイズ上の問題を軽減することのできる電子機器を提供することを目的とする。
【手続補正３】
【補正対象書類名】明細書
【補正対象項目名】０００７
【補正方法】変更
【補正の内容】
【０００７】
上記目的を達成するために、本発明の電子機器は、テレビジョン信号を受信する受信手段と、前記受信手段によって受信したテレビジョン信号に対する同期外れを検出する検出手段と、前記受信したテレビジョン信号に基づいて生成された画像を表示する表示手段と、複数の単位パターン画像を記憶する記憶手段と、前記受信したテレビジョン信号が表示されているときに前記検出手段によって同期外れが検出されると、前記記憶手段から前記複数の単位パターン画像を読み出し、前記表示手段に前記複数の単位パターン画像を規則的に表示する表示制御手段とを備えたことを特徴とする。
【手続補正４】
【補正対象書類名】明細書
【補正対象項目名】０００８
【補正方法】変更
【補正の内容】
【０００８】
テレビジョン信号を受信する受信手段と、前記受信手段によって受信したテレビジョン信号に対する同期外れを検出する検出手段と、複数の単位パターン画像を記憶する記憶手段と、録画操作がなされると、前記受信したテレビジョン信号に基づいて生成された第１のサイズ又は該第１のサイズより大きい第２のサイズで画像を録画するよう制御し、録画中に前記検出手段が同期外れを検出したとき、前記複数の単位パターン画像を前記記憶部から読み出して第１のサイズで、又は同一の単位パターンを複数並べた拡大パターン画像を単位パターンごとに生成して前記第２のサイズで録画する録画手段とを有することを特徴とする。